(57)【要約】【課題】人が横になったときや睡眠の前に、枕内部に設置されたスピーカー部材により音楽や歌曲を聴くことができ、心身をリラックスさせ、睡眠を幇助する効果を達成し、かつ他人に影響を与えない、音響再生機能を備えた枕を提供すること。【解決手段】枕本体１と、枕本体１の内部に設置された１つ以上のスピーカー部材２とを含み、スピーカー部材２が制御回路３に接続され、制御回路３に枕本体１から露出可能なＵＳＢコネクタ３１が接続され、ＵＳＢコネクタ３１が音楽プレイヤー６（ＭＰ３）に接続される。ＵＳＢコネクタをＭＰ３等の音楽プレイヤーに接続し、横になったときスピーカー部材から音楽や歌曲を聴くことにより、心身をリラックスさせ、睡眠を幇助する効果を達する。制御回路３には音楽や歌曲をダウンロードして保存するメモリが設置され、直接スピーカー部材から再生することもできる。【選択図】図２
0003176173.tif 000002
【実用新案登録請求の範囲】
【請求項１】
枕本体と、前記枕本体の内部に設置された１つ以上のスピーカー部材とを含み、
前記スピーカー部材が制御回路に接続され、前記制御回路に前記枕本体から露出可能なＵＳＢコネクタが接続され、前記ＵＳＢコネクタが音楽プレイヤーに接続される、
ことを特徴とする音響再生機能を備えた枕。
【請求項２】
前記スピーカー部材が、薄型スピーカーまたはセラミックスピーカーである、
ことを特徴とする請求項１に記載の音響再生機能を備えた枕。
【請求項３】
前記制御回路にメモリが設置され、音楽や歌曲をダウンロードして前記メモリに保存し、直接スピーカー部材から再生可能である、
ことを特徴とする請求項１に記載の音響再生機能を備えた枕。
【考案の詳細な説明】
【技術分野】
【０００１】
本考案は、特に、横になっているとき、枕内部に設置されたスピーカー部材から音楽または歌曲を聴き、心身をリラックスさせ、睡眠を幇助する効果を達成する、音響再生機能を備えた枕に関する。
【背景技術】
【０００２】
工商社会の激しい競争により、人々は日常生活において非常に忙しく緊張しているため、多くの人が睡眠前に音楽や歌曲を聴き、心身をリラックスさせると同時に、睡眠を幇助している。
【考案の概要】
【考案が解決しようとする課題】
【０００３】
通常ベッドサイドで音楽を聴く場合、音響をオンにすると、他の人が干渉されるため、一部の人はＭＰ３等のプレイヤーを使い、イヤホンで聴いている。
【０００４】
しかし、これなら他人に影響を与えることはないが、長時間のイヤホン使用は耳に有害である。
【０００５】
そこで、本考案は、これに鑑みてなされたもので、その目的は、人が横になったときや睡眠の前に、枕内部に設置されたスピーカー部材により音楽や歌曲を聴くことができ、心身をリラックスさせ、睡眠を幇助する効果を達成し、かつ他人に影響を与えることのない、音響再生機能を備えた枕を提供することにある。
【課題を解決するための手段】
【０００６】
本考案の音響再生機能を備えた枕は、枕本体と、前記枕本体の内部に設置された１つ以上のスピーカー部材とを含み、前記スピーカー部材が制御回路に接続され、前記制御回路に前記枕本体から露出可能なＵＳＢコネクタが接続され、前記ＵＳＢコネクタが音楽プレイヤーに接続される、ことを特徴とする。
【０００７】
前記制御回路にメモリを設置し、音楽や歌曲をダウンロードして前記メモリに保存し、直接スピーカー部材で再生できるようにしてもよい。前記スピーカー部材は、薄型スピーカー、セラミックスピーカー等としてもよい。
【考案の効果】
【０００８】
本考案の音響再生機能を備えた枕によれば、ＵＳＢコネクタをＭＰ３等の音楽プレイヤーに接続すると、横になったときスピーカー部材から音楽や歌曲を聴くことができ、心身をリラックスさせ、睡眠を幇助する効果が達せられる。また、再生時に、他人に影響を与えることがない。
【図面の簡単な説明】
【０００９】
【図１】本考案の実施形態に係る音響再生機能を備えた枕を示す斜視図である。
【図２】同上の実施形態に係る音響再生機能を備えた枕の構造を示す透視図である。
【図３】音響再生機能を備えた枕の使用状態を示す図である。
【考案を実施するための最良の形態】
【００１０】
以下、図面を参照して本考案の実施の形態を説明する。図１は本考案の実施形態に係る音響再生機能を備えた枕を示す斜視図であり、図２は同上の実施形態に係る音響再生機能を備えた枕の構造を示す透視図であり、図３は音響再生機能を備えた枕の使用状態を示す図である。
【００１１】
図１乃至図２に示すように、本考案の音響再生機能を備えた枕は、枕本体１と、枕本体１の内部に設置された１つ以上のスピーカー部材２を含む。スピーカー部材２は、薄型スピーカー、セラミックスピーカー等で構成され、かつ制御回路３と接続された再生モジュール４に接続されている。制御回路３には、さらに枕本体１から外部に露出可能とされたＵＳＢコネクタ３１が接続されている。また、再生モジュール４には、枕本体１の外部に露出されたイヤホンジャック５が接続されている。前述の構造部材の組み合わせにより、音響再生機能を備えた枕が構成される。
【００１２】
ＵＳＢコネクタ３１をＭＰ３６やその他音楽または歌曲を再生できる音楽プレイヤーに接続し、横になったときや睡眠前に頭部を枕本体１に置いたとき、制御回路３により再生モジュール４を介してスピーカー部材２により、音楽や歌曲を聴くことができ、心身をリラックスさせ、睡眠を幇助する効果を達する。
【００１３】
前述の制御回路３は、メモリ等のストレージデバイスを設置することができ、制御回路３によりＭＰ３の音楽や歌曲をダウンロードした後、前記メモリに保存し、使用時に制御回路３をオンにして、再生モジュール４を介して直接駆動し、スピーカー部材２から再生したり、イヤホンジャック５にイヤホン７を接続して聴くことができる。
【００１４】
図３に示すように、本考案は使用時、ＵＳＢコネクタ３１をＭＰ３またはその他音楽や歌曲を再生できる製品に接続し、横になったときや睡眠前に頭部を枕本体１に置いたとき、スピーカー部材２から音楽や歌曲を聴くことができ、心身をリラックスさせ、睡眠を幇助する効果を達する。
【００１５】
スピーカー部材２は薄型スピーカー、セラミックスピーカー等であり、人が頭部を枕本体１に置いたとき、快適さが失われず、かつスピーカー部材２が枕本体１の両側に配置されているため、その再生する音楽や歌曲を人が最良の効果で聴くことができる。また、スピーカー部材２が枕本体１内に設置されており、その位置が人の両耳に最も近い距離であるため、使用者が美しい音楽や歌曲を聴くことができる以外、睡眠時に隣で寝ている人がいても影響を与えることがない。
【００１６】
さらに、使用者はイヤホン７をイヤホンジャック５に接続し、イヤホン７を耳に装着して聴くこともできる。
【００１７】
上述をまとめると、本考案はスピーカー部材を枕本体の内部に設置することで、音響再生機能を備えた枕を構成したものである。人が横になったときや睡眠前に、枕内部に設置されたスピーカー部材により音楽や歌曲を聴くことができ、心身をリラックスさせ、睡眠を幇助する効果を達し、かつ他人に影響を与えることがない。
【００１８】
以上の説明は、本考案の最良の実施例に過ぎず、本考案の実施の範囲を限定するものではなく、当業者が本考案の要旨と範囲を逸脱せずに行なった同等の変化や修飾はすべて本考案の権利範囲内に含まれる。
【符号の説明】
【００１９】
１  枕本体
２  スピーカー部材
３  制御回路
３１  ＵＳＢコネクタ
４  再生モジュール
５  イヤホンジャック
６  ＭＰ３
７  イヤホン
【図１】
0003176173.tif 000003
【図２】
0003176173.tif 000004
【図３】
0003176173.tif 000005